(57)【要約】【課題】離型が行い易く、導電部材を強固に結合することができる電気コネクタを提供する。【解決手段】電気コネクタは、絶縁本体２０及び導電部材を備える。絶縁本体２０の末端面には、凹槽２１が設けられ、凹槽２１の底部には、外径が小さな凸部２２が設けられ、凸部２２と凹槽２１の槽壁との間には、外側に押し広げることができ、押し広げられた後に、元の形状に回復する凸部２２を配置させる弾性溝２３が設けられ、凸部２２の端面には、結合槽２４が設けられ、結合槽２４の槽壁上には、弾性溝２３に対応した箇所に環溝２５が設けられ、結合槽２４の底部には、小さな孔径が設けられ、連通した穿孔２６が設けられる。導電部材は、結合槽２４及び穿孔２６に貫設され、外側に斜めに延伸され、環溝２５に係合され、凹槽２１の側部槽壁上に向かって形成された複数の弾性突片３１を外周壁に有する。【選択図】図６
0003168192.tif 000002
【実用新案登録請求の範囲】
【請求項１】
絶縁本体及び導電部材を備える電気コネクタであって、
前記絶縁本体の末端面には、凹槽が設けられ、前記凹槽の底部には、外径が小さな凸部が設けられ、前記凸部と前記凹槽の槽壁との間には、外側に押し広げられ、押し広げられた後に元の形状に回復する前記凸部に配置される弾性溝が設けられ、前記凸部の端面には、結合槽が設けられ、前記結合槽の槽壁上には、前記弾性溝に対応した箇所に環溝が設けられ、前記結合槽の底部には、穿孔が設けられ、
前記導電部材は、前記結合槽及び前記穿孔に貫設され、外側に斜めに延伸され、前記環溝に係合され、前記凹槽の側部槽壁上に向かって形成された複数の弾性突片を外周壁に有することを特徴とする電気コネクタ。
【請求項２】
前記導電部材は、嵌合部及び端子を有し、
前記嵌合部は、前記結合槽内に配置され、外側に斜めに延伸された複数の弾性突片を末端に有し、前記嵌合部の周壁上には、前端部に向かって内部まで斜めに延伸された複数の弾性係合片が設けられ、端子が前記嵌合部を貫通して前記穿孔に向かって延伸し、前記端子の外周壁上には、末端に向かって外部まで斜めに延伸された複数の弾性係止片が設けられ、前記端子が前記嵌合部に貫通させて位置決めされると、複数の弾性係止片と前記嵌合部の複数の弾性係合片とが係合されることを特徴とする請求項１に記載の電気コネクタ。
【請求項３】
前記電気コネクタは雄コンタクトであり、前記絶縁本体の前端面は、外径が小さな凸柱が突設され、
前記穿孔は、前記凸柱内に延伸され、
前記凸柱は、雌コンタクトの挿入孔に挿入され、前記凸柱の端面には、前記穿孔と連通し、前記雌コンタクトの端子を貫通させる貫通孔が設けられ、
前記端子には、前記雌コンタクトの端子を挿入する導電孔が設けられていることを特徴とする請求項１又は２に記載の電気コネクタ。
【請求項４】
前記絶縁本体の前端面には、２つの掛止部が突設され、
前記２つの掛止部は、前記凸柱の両側に、前記雌コンタクトに掛止される凸柱が互いに対応するように設けられていることを特徴とする請求項３に記載の電気コネクタ。
【請求項５】
前記絶縁本体の外周面の末端部に隣接した箇所には、外径が小さなネジ部分が設けられていることを特徴とする請求項４に記載の電気コネクタ。
【請求項６】
前記絶縁本体は、所定の間隔をおいて環状に設けられた複数の柱体を末端部に有することを特徴とする請求項５に記載の電気コネクタ。
【請求項７】
前記電気コネクタは雌コンタクトであり、前記絶縁本体の前端面は、雄コンタクトの凸柱を挿入する挿入孔を有し、
前記挿入孔は、前記穿孔と連通し、
前記導電部材は、前記挿入孔に向かって突設されることを特徴とする請求項１又は２に記載の電気コネクタ。
【請求項８】
前記絶縁本体の外周面の前端部に隣接した箇所には、両側に互いに対応した２つの切欠溝が設けられ、
前記絶縁本体は、前記前端面に２つの係止孔が設けられ、前記２つの係止孔は、前記挿入孔の両側部に互いに対応するように設けられ、前記２つの切欠溝に貫通し、前記雄コンタクトの２つの掛止部に係止されることを特徴とする請求項７に記載の電気コネクタ。
【請求項９】
前記絶縁本体の外周面の末端部に隣接した箇所には、外径が小さなネジ部分が設けられていることを特徴とする請求項８に記載の電気コネクタ。
【請求項１０】
前記絶縁本体は、所定の間隔をおいて環状に設けられた複数の柱体を末端部に有することを特徴とする請求項９に記載の電気コネクタ。
【考案の詳細な説明】
【技術分野】
【０００１】
本考案は、電気コネクタに関し、特に、離型が行い易く、導電部材を強固に結合することができる電気コネクタに関する。
【背景技術】
【０００２】
図１及び図２を参照する。図１及び図２に示すように、従来の電気コネクタは、少なくとも絶縁本体１０、嵌合部１１及び端子１２から構成される。絶縁本体１０は、末端部に凹槽１３が設けられ、孔径が小さい穿孔１４が前端部に設けられている。穿孔１４と凹槽１３との間には、穿孔１４と凹槽１３とを連通させる結合槽１５が設けられている。結合槽１５の槽壁上には環溝１６が設けられている。嵌合部１１は、結合槽１５内に配置され、環溝１６の後部側壁に係合させるために用いる外側に斜めに延伸された複数の弾性突片１７が末端部に設けられ、前端部に向かって内部まで斜めに延伸された複数の弾性係合片１８が周壁に設けられている。端子１２は、嵌合部１１に貫設されてから穿孔１４内に延伸され、複数の弾性係合片１８に係合し、末端部に向かって外部まで斜めに延伸された複数の弾性係止片１９を外周壁に有する。
【０００３】
しかし、結合槽１５は、絶縁本体１０内に形成され、穿孔１４より僅かに大きな孔径を有し、槽壁上に直接設けられた環溝１６を有する。そのため、絶縁本体１０が射出成形された後、離型を行うのが困難な上、離型を行う際に環溝１６の後部側壁を引っ掻いて損壊させ、嵌合部１１を係合させる機能を失う虞がある。特に、離型し易いように、環溝１６の深さが浅い場合、嵌合部１１を掛止させることが困難となり、結合槽１５から外れ易い上、嵌合部１１内に貫設された端子１２が絶縁本体１０から外れる虞がある。また、環溝１６が結合槽１５の槽壁上に直接形成されているため、絶縁本体１０の外周面間に形成された非常に厚い壁厚は、射出成形されて冷却凝固されると、予想できないほど大きく収縮して結合槽１５及び環溝１６が変形する虞があり、嵌合部１１を装着することができなかったり緩くなりすぎたりし、その末端部に設けられた弾性突片１７を環溝１６に掛合させることができなくなることがある。
【考案の概要】
【考案が解決しようとする課題】
【０００４】
本考案の主な目的は、離型が行い易く、導電部材を強固に結合することができる電気コネクタを提供することにある。
【課題を解決するための手段】
【０００５】
上記課題を解決するために、本考案の第１の形態によれば、絶縁本体及び導電部材を備える電気コネクタであって、前記絶縁本体の末端面には、凹槽が設けられ、前記凹槽の底部には、外径が小さな凸部が設けられ、前記凸部と前記凹槽の槽壁との間には、外側に押し広げることができ、押し広げられた後に、元の形状に回復する前記凸部を配置させる弾性溝が設けられ、前記凸部の端面には、結合槽が設けられ、前記結合槽の槽壁上には、前記弾性溝に対応した箇所に環溝が設けられ、前記結合槽の底部には、小さな孔径が設けられ、連通した穿孔が設けられ、前記導電部材は、前記結合槽及び前記穿孔に貫設され、外側に斜めに延伸され、前記環溝に係合され、前記凹槽の側部槽壁上に向かって形成された複数の弾性突片を外周壁に有することを特徴とする電気コネクタが提供される。
【０００６】
前記導電部材は、嵌合部及び端子を有し、前記嵌合部は、前記結合槽内に配置され、外側に斜めに延伸された複数の弾性突片を末端に有し、前記嵌合部の周壁上には、前端部に向かって内部まで斜めに延伸された複数の弾性係合片が設けられ、端子が前記嵌合部を貫通して前記穿孔に向かって延伸し、前記端子の外周壁上には、末端に向かって外部まで斜めに延伸された複数の弾性係止片が設けられ、前記端子が前記嵌合部に貫通させて位置決めされると、複数の弾性係止片と前記嵌合部の複数の弾性係合片とが係合されることが好ましい。
【０００７】
前記電気コネクタは雄コンタクトであり、前記絶縁本体の前端面は、外径が小さな凸柱が突設され、前記穿孔は、前記凸柱内に延伸され、前記凸柱は、雌コンタクトの挿入孔に挿入され、前記凸柱の端面には、前記穿孔と連通し、前記雌コンタクトの端子を貫通させる貫通孔が設けられ、前記端子には、前記雌コンタクトの端子を挿入する導電孔が設けられていることが好ましい。
【０００８】
前記絶縁本体の前端面には、２つの掛止部が突設され、前記２つの掛止部は、前記凸柱の両側に、前記雌コンタクトに掛止される凸柱が互いに対応するように設けられていることが好ましい。
【０００９】
前記絶縁本体の外周面の末端部に隣接した箇所には、外径が小さなネジ部分が設けられていることが好ましい。
【００１０】
前記絶縁本体は、所定の間隔をおいて環状に設けられた複数の柱体を末端部に有することが好ましい。
【００１１】
前記電気コネクタは雌コンタクトであり、前記絶縁本体の前端面は、雄コンタクトの凸柱を挿入する挿入孔を有し、前記挿入孔は、前記穿孔と連通し、前記導電部材は、前記挿入孔に向かって突設されることが好ましい。
【００１２】
前記絶縁本体の外周面の前端部に隣接した箇所には、両側に互いに対応した２つの切欠溝が設けられ、前記絶縁本体は、前記前端面に２つの係止孔が設けられ、前記２つの係止孔は、前記挿入孔の両側部に互いに対応するように設けられ、前記２つの切欠溝に貫通し、前記雄コンタクトの２つの掛止部に係止されることが好ましい。
【００１３】
前記絶縁本体の外周面の末端部に隣接した箇所には、外径が小さなネジ部分が設けられていることが好ましい。
【００１４】
前記絶縁本体は、所定の間隔をおいて環状に設けられた複数の柱体を末端部に有することが好ましい。
【考案の効果】
【００１５】
本考案の電気コネクタは、弾性溝の構造設計により、凸部が外側に押し広げることができ、押し広げられた後に、元の形状に回復することができる機能を有するため、絶縁本体を射出成形した後、凸部に外側に押し広げることができ、押し広げられた後に、元の形状に回復させることができる凸部により離型を容易に行うことができる。また、結合槽の槽壁上に製作した深い環溝に、導電部材の複数の弾性突片を係合させることにより外れ難くなり、絶縁本体との結合がより強固になる。弾性溝と結合溝とを利用することにより、凸部の厚さが薄くなり、射出成形において冷却凝固される際、その収縮量が非常に小さくなるため、従来のように変形して導電部材を装着することができなくなったり、導電部材を装着した後に緩くなりすぎて、弾性突片を係合させることができなくなったりすることを防ぐことができる。
【図面の簡単な説明】
【００１６】
【図１】従来の電気コネクタを示す分解断面図である。
【図２】従来の電気コネクタを示す部分拡大図である。
【図３】本考案の一実施形態による電気コネクタ（雄コンタクト）を示す分解斜視図である。
【図４】本考案の一実施形態による電気コネクタ（雄コンタクト）を示す斜視図である。
【図５】本考案の一実施形態による電気コネクタ（雄コンタクト）を示す分解断面図である。
【図６】本考案の一実施形態による電気コネクタ（雄コンタクト）を示す部分拡大図である。
【図７】本考案の一実施形態による電気コネクタ（雌コンタクト）を示す分解斜視図である。
【図８】本考案の一実施形態による電気コネクタ（雌コンタクト）を示す斜視図である。
【図９】本考案の一実施形態による電気コネクタ（雌コンタクト）を示す分解断面図である。
【図１０】本考案の一実施形態による電気コネクタ（雌コンタクト）を装着したときの状態を示す部分拡大図である。
【図１１】本考案の他の実施形態による電気コネクタ（雄コンタクト）を示す斜視図である。
【図１２】本考案の他の実施形態による電気コネクタ（雌コンタクト）を示す斜視図である。
【考案を実施するための形態】
【００１７】
以下、本考案の実施形態について図に基づいて説明する。なお、これによって本考案が限定されるものではない。
【００１８】
図３〜図１０を参照する。図３〜図１０に示すように、本考案の一実施形態による電気コネクタは、少なくとも絶縁本体２０、嵌合部３０及び端子４０から構成される。
【００１９】
絶縁本体２０の末端面には、凹槽２１が設けられている。凹槽２１の底部には、外径が小さな凸部２２が設けられ、凸部２２と凹槽２１の槽壁との間には、外側に押し広げることができ、押し広げられた後に、元の形状に回復する凸部２２を配置するために用いる弾性溝２３が設けられている。凸部２２の端面には、結合槽２４が設けられている。結合槽２４の槽壁上には、弾性溝２３に対応した箇所に環溝２５が設けられている。結合槽２４の底部には、小さな孔径が設けられ、連通した穿孔２６が設けられている。
【００２０】
嵌合部３０は、結合槽２４内に配置され、凹槽２１に向かった側槽壁上に係合される複数の弾性突片３１が外側に向かって斜めに延伸されて環溝２５に係合されると、結合槽２４から嵌合部３０が後方側に外れることを防ぐことができる。嵌合部３０の周壁上には、前端部に向かって内部に斜めに延伸された複数の弾性係合片３２が設けられている。
【００２１】
端子４０は、嵌合部３０に貫設させてから穿孔２６内に延伸し、末端部に向かって外部まで斜めに延伸された複数の弾性係止片４１が外周壁に設けられている。端子４０が嵌合部３０に貫設されて位置決めされると、複数の弾性係止片４１が、嵌合部３０の複数の弾性係合片３２に係合され、端子４０が嵌合部３０から外れて後方に移動することを防ぐことができる。端子４０の末端部は、ケーブル４２に接続されている。
【００２２】
図３〜図６を参照する。図３〜図６に示すように、本考案の一実施形態による電気コネクタは、雄コンタクトである。絶縁本体２０の前端面には、外径が小さい凸柱５０が突設されている。凸柱５０の両側部には、互いに対応するように２つの掛止部５１が設けられている。穿孔２６は、凸柱５０内に延伸されている。凸柱５０の端面には、穿孔２６に連通した貫通孔５２が設けられている。絶縁本体２０の外周面の末端部に隣接した箇所には、外径が小さなネジ部分５３が設けられている。端子４０には、導電孔４３が設けられている。
【００２３】
図７〜図１０を参照する。図７〜図１０に示すように、本考案の一実施形態による電気コネクタは、雌コンタクトである。雌コンタクトの絶縁本体２０の前端面には、雄コンタクトの凸柱５０を挿入するために用いる挿入孔６０が設けられている（図３〜図６参照）。雌コンタクト内では、挿入孔６０と穿孔２６とが連通している。雌コンタクトの端子４０は、挿入孔６０内に突設され、雄コンタクトの凸柱５０が挿入孔６０内に挿入されると、雌コンタクト中の端子４０が雄コンタクトの端子４０の導電孔４３中に挿入され、導電状態となる。雌コンタクトの絶縁本体２０の周面の前端部に隣接した箇所に設けられた両側には、２つの切欠溝６１が対応するように設けられている。雌コンタクトの絶縁本体２０の前端面には、２つの係止孔６２が設けられている。２つの係止孔６２は、挿入孔６０の両側に対応するように設けられ、２つの切欠溝６１にそれぞれ連通し、上述の雄コンタクトの２つの掛止部５１を貫設して係止させる。雌コンタクトの絶縁本体２０の外周面は、末端部に隣接した箇所に、外径が小さなネジ部分６３が設けられている。
【００２４】
図１１を参照する。図１１に示すように、本考案の他の実施形態による雄コンタクト（電気コネクタ）の構造は、図３〜図６の雄コンタクトと略同じであるが、雄コンタクトの絶縁本体２０が、所定の間隔をおいて環状に設けられた複数の柱体５４を末端部に有する点が異なる。
【００２５】
図１２を参照する。図１２に示すように、本考案の他の実施形態による雌コンタクト（電気コネクタ）の構造は、図７〜図１０の雌コンタクトと略同じであるが、雌コンタクトの絶縁本体２０が、所定の間隔をおいて環状に設けられた複数の柱体６４を末端部に有する点が異なる。
【００２６】
本実施形態の導電部材は、嵌合部３０と端子４０との組み合わさにより構成される。当然、本実施形態の導電部材は、１つだけの端子でもよいし、他の導電要素などの１つの構成要素でもよく、上述の嵌合部３０上に設けられた複数の弾性突片３１は、端子に直接設けたり、導電要素などの導電部材の周面上に直接設けたりしてもよい。
【００２７】
本実施形態の絶縁本体２０の凸部２２は、凹槽２１の槽壁との間に弾性溝２３が設けられているため、凸部２２を外側に押し広げたり、押し広げられた後でも元の形状に回復したりすることができる。そのため、絶縁本体２０を射出成形した後、凸部２２を利用した場合、離型を行い易くなる。また、結合槽２４の槽壁上に設けられた深い環溝２５により、導電部材の複数の弾性突片３１がその中に係合されて外れ難くなり、導電部材と絶縁本体２０との結合をさらに強固にすることができる。また、弾性溝２３と結合槽２４とを利用することにより、凸部２２の厚さが薄くなり、射出成形されて冷却凝固されると、この収縮量が非常に小さくなり、変形して導電部材が取付けられなくなったり、導電部材を取付けた後に緩くなって、弾性突片３１が環溝２５に係合されなくなる状況が発生したりすることを防ぐことができる。
【００２８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２９】
１０  絶縁本体
１１  嵌合部
１２  端子
１３  凹槽
１４  穿孔
１５  結合槽
１６  環溝
１７  弾性突片
１８  弾性係合片
１９  弾性係止片
２０  絶縁本体
２１  凹槽
２２  凸部
２３  弾性溝
２４  結合槽
２５  環溝
２６  穿孔
３０  嵌合部
３１  弾性突片
３２  弾性係合片
４０  端子
４１  弾性係止片
４２  ケーブル
４３  導電孔
５０  凸柱
５１  掛止部
５２  貫通孔
５３  ネジ部分
６３  ネジ部分
５４  柱体
６０  挿入孔
６１  切欠溝
６２  係止孔
６４  柱体
【図１】
0003168192.tif 000003
【図２】
0003168192.tif 000004
【図３】
0003168192.tif 000005
【図４】
0003168192.tif 000006
【図５】
0003168192.tif 000007
【図６】
0003168192.tif 000008
【図７】
0003168192.tif 000009
【図８】
0003168192.tif 000010
【図９】
0003168192.tif 000011
【図１０】
0003168192.tif 000012
【図１１】
0003168192.tif 000013
【図１２】
0003168192.tif 000014